(57)【要約】【課題】処理室のカバー体の着脱を狭い間隙内でも、工具を使用することなく簡単に係合解除することができ、煩雑な作業を要することないメンテナンス作業性に優れた脱穀装置を提供する。【解決手段】処理室２４のカバー体３１を、カバー体３１側の係合部４５及び脱穀側壁４７側の係止部４６から構成されるスライド係合手段４０と固定手段３４とを介して、脱穀側壁４７側に着脱自在に取り付け、処理室２４の前壁３２及び後壁３３をカバー体３１とは別体で脱穀側壁４７側に設けると共に、前記固定手段３４の固定を解除してカバー体３１を処理胴軸心方向にスライドさせることによりスライド係合手段４０の係合が外れて、処理室２４の前壁３３及び後壁３３を残してカバー体３１を取り外せるように構成した。【選択図】図５
2009240163.tif 000002
【特許請求の範囲】
【請求項１】
扱胴（３）を回転自在に支持した扱室（４）と、該扱室（４）と連通口（２６）を介して連通されて処理胴（２７）を回転自在に支持した処理室（２４）と、前記扱室（４）及び処理室（２４）から落下する処理物の選別処理を行う選別室（７）とを備え、処理室（２４）を扱室（４）の側方に配置し、処理室（２４）の扱室（４）から遠い側の側壁を着脱自在なカバー体（３１）によって構成した脱穀装置において、前記カバー体（３１）を、カバー体（３１）側の係合部（４５）及び脱穀側壁（４７）側の係止部（４６）から構成されるスライド係合手段（４０）と固定手段（３４）とを介して、脱穀側壁（４７）側に着脱自在に取り付け、処理室（２４）の前壁（３２）及び後壁（３３）をカバー体（３１）とは別体で脱穀側壁（４７）側に設けると共に、前記固定手段（３４）の固定を解除してカバー体（３１）を処理胴軸心方向にスライドさせることによりスライド係合手段（４０）の係合が外れて、処理室（２４）の前壁（３３）及び後壁（３３）を残してカバー体（３１）を取り外せるように構成したことを特徴とする脱穀装置。
【発明の詳細な説明】
【技術分野】
【０００１】
この発明はコンバイン等の脱穀装置に関し、特に扱室に隣接して設けられる処理室の処理室カバーの改良に関するものである。
【背景技術】
【０００２】
一般にコンバイン等の脱穀装置には、扱室より未処理状態で排出される処理物を導入して再処理する処理室が扱室後部側方に連通して設けられており、この処理室には処理胴が前後方向に軸支され、処理胴の扱室側は半円筒形の受網が、外側には同じく半円筒形の一体物のカバー体（カバー）が設けられている。このような脱穀装置のカバー体は単に全体が一体であるだけでなく、大量の未処理物の導入にも耐え、さらに処理胴の回転時の振動を防止するために一定の強度（剛性）が求められ全体の重量も大きいので、処理室内部のメンテナンス作業時等のカバーの取り外しや取付作業に多大な労力を要する等の問題があった。
そこで本願出願人は特許文献１で示すように、上記カバー体を上側カバーと下側カバーとに上下分割形成し、上側カバーと下側カバーとを各別に取り外すことができるように構成することを提案した。
【特許文献１】特願２００７−３０７０２９号
【発明の開示】
【発明が解決しようとする課題】
【０００３】
上記特許文献１で示される脱穀装置は、カバー体が上下に筒片状に２分割されて、上側カバーと下側カバーとが外側にそれぞれ突出するフランジ部同士を複数のノブ付ボルトにより締着固定させることにより、上下各別に組付け及び分解できるので、処理室内のメンテナンスを行うためにカバー体全てを取り外す必要がないことや、上側カバーと下側カバーの着脱作業を容易に行うことができ、処理室メンテナンス時の作業負担が軽減するという利点がある。
然し、上記上側カバーと下側カバーの上端又は下端に突設される機体取付用のフランジ部は、いずれも脱穀側壁（フレーム側）にボルトによる締着固定をさせる構造であるため、ボルトの数が多く着脱作業に時間を要した。また処理室の側方でカバー体の近傍に配置される各種の構造物、例えば２番還元オーガの羽根ケース等が近接しているような場合に、下側カバーの下フランジ部はスペースを占めるノブ付ボルトによる固定が困難で、通常のボルトを狭い間隙内でスパナを使用して着脱する等の煩雑な作業を強いられるなどの問題がある。
【課題を解決するための手段】
【０００４】
上記課題を解決するための本発明の脱穀装置は、扱胴３を回転自在に支持した扱室４と、該扱室４と連通口２６を介して連通されて処理胴２７を回転自在に支持した処理室２４と、前記扱室４及び処理室２４から落下する処理物の選別処理を行う選別室７とを備え、処理室２４を扱室４の側方に配置し、処理室２４の扱室４から遠い側の側壁を着脱自在なカバー体３１によって構成した脱穀装置において、前記カバー体３１を、カバー体３１側の係合部４５及び脱穀側壁４７側の係止部４６から構成されるスライド係合手段４０と固定手段３４とを介して、脱穀側壁４７側に着脱自在に取り付け、処理室２４の前壁３２及び後壁３３をカバー体３１とは別体で脱穀側壁４７側に設けると共に、前記固定手段３４の固定を解除してカバー体３１を処理胴軸心方向にスライドさせることによりスライド係合手段４０の係合が外れて、処理室２４の前壁３３及び後壁３３を残してカバー体３１を取り外せるように構成したことを特徴としている。
【発明の効果】
【０００５】
以上のように構成される本発明の脱穀装置によれば次のような効果を奏する。カバー体を、スライド係合手段と固定手段とを介して脱穀側壁側に着脱自在に取り付け、処理室の前壁及び後壁をカバー体とは別体で脱穀側壁側に設けると共に、前記固定手段の固定を解除してカバー体をスライドさせることによりスライド係合手段の係合を外し、処理室の前壁及び後壁を残してカバー体を取り外せるように構成したことにより、カバー体を外してメンテナンス作業を行なうに際し固定手段を外すと、カバー体を処理胴軸心方向にスライドさせて、スライド係合手段の係合を解除しながら取り外すことができる。従って、狭い間隙内で工具を使用して着脱する等の煩雑な作業を要することなく、カバー体を簡単且つ速やかに着脱することができメンテナンス作業を能率よく行うことができる。
【発明を実施するための最良の形態】
【０００６】
以下図示する実施形態につき詳述すると、図１はコンバインの脱穀機（脱穀装置）１の進行方向左側の側面図を表わしており、その前方には図示しない穀稈刈取・搬送部（前処理部）が連結され、脱穀機１は機体フレーム２上に組付けられており、コンバインでは機体フレーム２がクローラ（図示しない）に支持されている。
【０００７】
機体フレーム２の前部上方には内部に扱胴３を前後方向に軸支した扱室４と、その下方に受網６を介して脱穀された穀粒を芥類等と選別して回収する選別室７とが設けられている。扱室４の左側方には前処理部より送られた穀程を把持して扱室４に挿入して脱穀させるフィードチェン８が、選別室７内下部には前方から唐箕９,１番らせん１１，シロッコフアン１２,２番らせん１３が左右方向に軸支され、これらにより扱室４及び後述する処理室２４より落下（漏下）する処理物を穀類と芥類に風選する。
【０００８】
さらに選別室７内には各らせん１１,１３の右端より、機体右側のグレンタンク１４と再処理部へ搬送する上下方向の揚穀らせん１６,２番還元オーガ１７が設けられるほか、扱室４と処理室２４との下方に揺動選別部１８等が設けられている。
【０００９】
選別室７の後方上部には、吸引ファン１９を備えて芥類を後方に排出する排塵室２１が連通開口して設けられフィードチェン８の後方には排藁搬送部２２，カッター部２３等が順次設置されている。
【００１０】
筒状に形成される処理室２４は、図２に示すように扱室４の後方外側（右側）位置で連通口２６を介して連通して前後方向に設けられ、その中心部には処理胴２７が前後方向に軸支されている。そして扱室４で未処理状態の処理物が連通口２６を介して処理室２４に送られ処理胴２７の回転によって処理されながら後方に送られる。
【００１１】
処理室２４は連通口２６の後方の内側（左側）周壁が半円筒状の処理網（クリンプ網）２８で構成され、その後端部底部側には排塵口２９が開口して設けられている。扱室４から送られた芥類を含む未処理の穀類は回転する処理胴２７外周に突設された移送らせん２７ａ及び処理歯２７ｂによって後方に搬送されながら処理される。
未処理物は穂先穀稈等の芥類から分離された穀粒を処理網２８を介して下部の選別室７に落下させ、処理胴２７後部外周の排出羽根２７ｃによって後方の排塵口２９より芥類が排塵室２１に放出される。
【００１２】
処理室２４の機体中心より外側外周は角筒形又は円筒形のカバー体３１が、前後壁３２，３３及び脱穀機１の後述する脱穀側壁（フレーム側）４７に対して固定手段３４、並びにスライド係合手段４０等により着脱可能に取付けられて周壁を形成している。
上記固定手段３４は図示例のようなノブ付ボルトを使用して締着固定するものが望ましく、またスライド係合手段４０は図６，図７並びに図１４，図１５で示すように、処理胴軸心方向に沿ってスライドさせることによりカバー体３１と脱穀側壁４７との係合と係合解除をさせる構造にしている。これによりボルト数を減らしながらスパナ等の工具を用いることなく、カバー体３１を確実に取付けると共に、能率よく簡単に外すことができるようにしている。
【００１３】
そして図４，図５，図６に示すようにカバー体３１は、上下に筒片状に２分割された上側カバー３６（上側カバー体）と下側カバー３７（下側カバー体）とが、上側カバー ３６と下側カバー３７から外側にそれぞれ突出するフランジ部３６ａ,３７ａ同士を複数のノブ付ボルト（固定手段）３４により締着固定させるようにしている。これにより上側カバー３６と下側カバー３７は上下各別に組付け及び分解可能な構造になっている。
【００１４】
また上側カバー３６は上端にフランジ部３６ｂを突設し、下側カバー３７は下端にフランジ部３７ｂを突設し、この実施形態では機体に対し、フランジ部３６ｂは複数のノブ付ボルト３４によって脱穀フレーム側に着脱可能に取付固定し、フランジ部３７ｂは図６，図７で後述するような複数のスライド係合部４０によるスライド係合手段によって脱穀フレーム側に着脱可能に取付固定している。
【００１５】
この際、下側カバー３７を上側カバー３６と比較して板厚が厚くなるように形成してフレーム部材も兼ねるようにすると、下側カバー３７のフランジ部３７ｂは、上記スライド係合部４０によっても脱穀機１のフレーム側に強固に固定することができる。
また上側カバー３６は、着脱時の作業手順を考慮し、上記フランジ部３６ｂがノブ付ボルト３４によって脱穀機１のフレーム側に取付固定するようにしたが、後述する図８，図９に示すようにフランジ部３６ｂもフランジ部３７ｂと同様にスライド係合部４０によって取付けることもできる。
【００１６】
上記下側カバー３７の後半部には、排塵口２９及び排出羽根２７ｃの位置と重ならない前後長で網目状に打抜かれたパンチングメタル等からなる処理網３８が処理室２４の周壁の一部を構成するように設けられている。該処理網３８の前後の下側カバー ３７の外周には、フランジ状の前後壁３９，３９が上下方向に突設され、この前後壁３９，３９間には案内カバー４１が所定の間隔よりなる案内間隙４２を介して処理網３８の外周を覆い、且つ選別室７に開口部４３を介して連通開放されるようにボルト固定されている。尚、このボルト固定には着脱作業の効率化を考慮し、前述のノブ付ボルト３４を用いている。
【００１７】
上記案内カバー４１の下端部（又は下部周縁）は、上記選別室７への開口部４３の周縁外側面に設けられたひだ状の差込部４４に挿脱可能に差込まれ、組付け時の外部との密閉を図っている。また、差込部４４に案内カバー４１の下端部を差込むことにより、案内カバー４１を下側カバー３７にボルト固定することなく、脱穀機１のフレーム側に単独で取り付けることができる。
【００１８】
次に図６，図７を参照し、下側カバー３７を脱穀側壁４７に取付ける前記スライド係合部４０について説明する。このスライド係合部４０は下側カバー３７のフランジ部３７ｂに設けた係合部４５と、脱穀側壁４７側に設けられて該係合部４５を係止する係止部４６とからなる。図示例の係合部４５は所定長さの丸棒を突起部材としフランジ部３７ｂの端部に固定した構成とし、係止部４６は脱穀側壁４７に設けて上記係合部４５の丸棒を抜き差し自在に受け止め支持する受金具としている。
【００１９】
また図７に示すように、係合部４５と係止部４６の係合状態において、脱穀側壁４７側に係合部４５を嵌挿する係合孔４９を穿設すると、係合状態における係合部４５を係合孔４９に挿入して位置決めを簡単に行うことができる。
上記構成からなるスライド係合部４０はフランジ部３７ｂの前後長さに所定の間隔を有して複数設置され、脱穀側壁４７に対しカバー体３１の下部を確実に取付けることができると共に、係合解除は下側カバー３７を係合部４５と係止部４６の構成で定められるスライド方向に移動させることにより、両者の係合を簡単に外すことができる。
【００２０】
図示例のカバー体３１は係合部４５を係止部４６に対し、上方から又は前後側から差し込むだけの簡単な動作で固定でき、且つ逆順の動作で係合を解除することができるので、カバー体３１の着脱を能率よく行うことができる。
従って、カバー体３１の近傍に例えば２番還元オーガ１７の羽根ケース１７ａ等が近接しているような場合に、狭い間隙内でボルトを外したりする煩雑な作業を要することなく楽に行うことができる。
【００２１】
また処理室２４の前壁３２及び後壁３３をカバー体３１とは別体で脱穀側壁４７側に設けているので、処理室２４の前後で脱穀側壁４７から突出する前壁３２と後壁３３は、カバー体３１をスライドさせるガイド部材として利用でき、且つ係合を解除したカバー体３１を一時的に仮支持することができるので、狭小な場所で重量のあるカバー体３１の着脱を楽に行うことができると共に、怪我等を伴うことのメンテナンス作業を能率よく行うことができる。
尚、上記スライド係合部４０の構造において、カバー体３１を前後方向に無理なくスライドさせて外したい場合には、係合孔４９による係合部４５の前後スライドを係合孔４９が妨げないように、長孔状に形成することが望ましい。またスライド係合部４０は上記構造に限ることなく、後述する図１４，図１５で示すようにすることもできる。
【００２２】
既述のようにカバー体３１は一定の強度（剛性）が求められる反面、着脱時の取扱いの容易性が求められるため、上側カバー３６と下側カバー３７のいずれか一方を薄い板材を用いて軽量化し、他方を比較的厚みのある板材を用いて剛性を与える（強度アップを図る）等の工夫が望ましい。図示する例では前述したように下側カバー３７の板材の板厚を大きくして受止め側のカバーの強化を図り、下側カバー３７にフレーム部材の機能をもたせている。
【００２３】
以上のように構成される脱穀機１によれば、処理室２４内で脱粒された穀粒は２つの処理網２８,３８を介して選別室７に落下排出され、最終的にグレンタンク１４内に回収される。また処理室２４のメンテナンス作業を行なう場合には、先ず上側カバー３６を取り外すことにより、処理室２４内の藁屑除去等の簡易なメンテナンスを容易に行うことが可能になる他、案内カバー４１を取り外すことにより、開口部４３を介して選別室７内の掃除等のメンテナンスを簡単に行うことができる。また下側カバー３７を取り外して処理室２４を大きく開放させることにより、処理網２８の着脱作業等のメンテナンスをより容易に行うことができる。
【００２４】
上記のようなメンテナンス作業を行なうに当たり、カバー体３１を外す際には、先ず後壁３３と前壁３２側のノブ付ボルト３４と、上側カバー３６側のノブ付ボルト３４とを手で回して外すと、下側カバー３７のフランジ部３７ｂをスライド係合部４０で支えた状態になる。この状態でカバー体３１は上方又は前後方向にスライドさせると、スライド係合部４０の係合が解除されて上方に引き抜くようにして取り外すことができる。
従って、２番還元オーガの羽根ケース等が近接しているような場合に、下側カバー３７のフランジ部３７ｂを狭い間隙内でスパナを使用して着脱する等の煩雑な作業を要しないので、狭小な場所でも下側カバー３７を確実に固定できると共に、怪我等を伴うことのメンテナンス作業を能率よく行うことができる利点がある。
【００２５】
次に図８〜図１３を参照し本発明の別実施形態並びに関連構造について説明する。尚、前記実施形態のものと同様な構成及び作用については説明を省略する。先ず図８，図９はカバー体３１の着脱構造に係る第２実施形態を示し、このカバー体３１は上側カバー３６と下側カバー３７を互いのフランジ部３６ｂ，３７ｂをボルト５１によって一体的に接続した状態で、上側カバー３６と下側カバー３７の互いのフランジ部３６ａ,３７ａを脱穀側壁４７に対し、前記実施形態のものと同様なスライド係合部４０を介して係合したのち、カバー体３１の前後端を前壁３２と後壁３３に対しノブ付ボルト３４によって締め付け固定する構造としている。
【００２６】
この実施形態によればカバー体３１を外すときは、先ず処理室２４の前後にあるノブ付ボルト３４を緩めると、カバー体３１が前壁３２と後壁３３との位置決め固定を解除されて離れるので、カバー体３１は前壁３２と後壁３をガイド部材として利用でき、処理胴２７に接触させることのないように処理胴軸心方向にスライド移動させることができる。これにより上側カバー３６と下側カバー３７の係合部４５が脱穀側壁４７側の上下に設けた係止部４６から外れ、上側カバー３６と下側カバー３７を分離させることなく一挙に外すことができ、また処理室２４内を広く開放できるので内部のメンテナンス作業を行い易くすることができる。
【００２７】
またカバー体３１を取付ける際には、先ず上側カバー３６と下側カバー３７の係合部４５をそれぞれ対応する係止部４６に嵌めて位置決めした状態で、ノブ付ボルト３４により前壁３２と後壁３３との締着を行うことにより、スライド係合部４０の固定をしっかりと行ってカバー体３１の取付けを簡単に且つ速やかに行うことができる。
この場合もカバー体３１は、脱穀側壁４７の前後に突設される前壁３２と後壁３３の外形に沿わせ、且つこれをガイド部材として利用しながら着脱作業を行い易くすることができる等の特徴がある。
【００２８】
次に図１０，図１１に示す実施形態について説明する。このカバー体３１の上側カバー３６は、フランジ部３６ｂを脱穀側壁４７にノブ付ボルト３４で取付けると共に、フランジ部３６ａを下側カバー３７に形成した前後壁３９，３９にノブ付ボルト３４によって締着し、且つ中途部の前後を前壁３２と後壁３３にノブ付ボルト３４によって締着固定をするようにしている。
そして、下側カバー３７は案内カバー４１を一体的に設けた剛体構造となし、フランジ部３７ｂと案内カバー４１の下端をスライド係合部４０によって支持した状態で、フランジ部３７ａを前記上側カバー３６の内側面に沿って当接させることにより取付支持する構成にしている。
【００２９】
従って、上記構成されるカバー体３１は、全てのノブ付ボルト３４を外すと上側カバー３６を取り外すことができ、これにより下側カバー３７は上側の支持を解除されるので、スライド係合部４０を介して外し方向に簡単にスライドさせることができ容易に取り外すことができる。この構成によるカバー体３１は、下側カバー３７を外すことなく上側カバー３６を外せば、処理室２４内を大きく開放することができるので、処理網２８などの清掃や交換等のメンテナンス作業を簡単に行うことができる。尚、上側カバー３６及び下側カバー３７の組み付けは上記取り外し作業の逆順の作業によって行うことができる。
【００３０】
次に図１２，図１３に示す別実施形態について説明する。このカバー体３１は上側カバー３６と下側カバー３７を、図４，図５で示すものと同様な構造によって取付けており、この際のスライド係合部４０は図１４，図１５で示すような構造にしている。
即ち、同図のスライド係合部４０は、下側カバー３７のフランジ部３７ｂに凹溝状の取付溝５３を切欠形成し、該取付溝５３の一側にピン状の係合部４５を自由端を臨ませて基部を固定し、且つ脱穀側壁４７側に上記係合部４５を前後方向から挿入自在な挿入孔を有する係止部４６を設けて構成される。尚、取付溝５３の幅は係止部４６の２倍以上とすることにより、下側カバー３７を前後方向にスライド自在とし、且つスライド端において係合部４５と係止部４６の係合を解除することができる。
【００３１】
上記構成によるカバー体３１は、上側カバー３６及び案内カバー４１を外した状態で、前後のノブ付ボルト３４を外すと、下側カバー３７をスライド係合部４０を介して図１３の点線で示すように、係合部４５を支点に下方に回動させることができると共に、取付溝５３を介して前後方向にスライドさせることができる。従って、下側カバー３７はスライド係合部４０の構造によって所望の回動位置で前後方向にスライドさせることができ、状況に適応したカバー体３１の着脱を能率よく簡単に行なうことができる。
【図面の簡単な説明】
【００３２】
【図１】本発明の第１実施形態に係るカバー体構造を備えた脱穀機の内部構造を示す側面図である。
【図２】図１の扱室と処理室の配置構造を示す平面図である。
【図３】図１の脱穀機の処理室外観を示す左側斜視図である。
【図４】図１の脱穀機の外観を示す左側面図である。
【図５】図４の処理室及びカバー体の構造を示す断面図である。
【図６】スライド係合手段の構成を示す正面図である。
【図７】図６のＡ−Ａ線断面図である。
【図８】本発明の第２実施形態に係るカバー体構造を備えた処理室の外観を示す左側面図である。
【図９】図８の処理室及びカバー体の構造を示す断面図である。
【図１０】別実施形態に係るカバー体構造を備えた処理室の外観を示す左側面図である。
【図１１】図１０の処理室及びカバー体の構造を示す断面図である。
【図１２】さらに別の実施形態に係るカバー体構造を備えた処理室の外観を示す左側面図である。
【図１３】図１２の処理室及びカバー体の構造を示す断面図である。
【図１４】スライド係合手段の別実施形態に係る構成を示す正面図である。
【図１５】図１４のＡ−Ａ線断面図である。
【符号の説明】
【００３３】
１    脱穀機
３    扱胴
４    扱室
７    選別室
２４  処理室
２６  連通口
２７  処理胴
３１  カバー体
３２  前壁
３３  後壁
３４  ノブ付ボルト
３６  上側カバー
３７  下側カバー
４０  スライド係合手段
４５  係合部
４６  係止部
４７  脱穀側壁
【図１】
2009240163.tif 000003
【図２】
2009240163.tif 000004
【図３】
2009240163.tif 000005
【図４】
2009240163.tif 000006
【図５】
2009240163.tif 000007
【図６】
2009240163.tif 000008
【図７】
2009240163.tif 000009
【図８】
2009240163.tif 000010
【図９】
2009240163.tif 000011
【図１０】
2009240163.tif 000012
【図１１】
2009240163.tif 000013
【図１２】
2009240163.tif 000014
【図１３】
2009240163.tif 000015
【図１４】
2009240163.tif 000016
【図１５】
2009240163.tif 000017